(57)【要約】      （修正有）【課題】生コンのうち、いわゆる戻りコンや残コンを利用して、建設現場で根伐りされた底面の成形にコンクリートを再利用することにより、従来のように砕石を用いることなく、作業時の流動性と必要な強度を保ちつつ、現場の底面を平坦にし、工事の手間を削減し、よって、工事費を低減し、工期を短縮することにある。【解決手段】建物の建設現場に基礎を造るために地面を採掘する根伐工程と、前記根伐工程で採掘された底面を平坦にするコンクリート打設工程とを有する建物の基礎工事であって、アジテータ車のドラムなどに付着した生コンからスラッジ水を集積する残コン集積工程と、前記残コン集積工程で集積されたスラッジ水に含有するセメントなどの固形物を粉砕しつつセメントを加えて再生コンを製造するコンクリート再生工程とを有し、かつ前記コンクリート再生工程で生成された再生コンを、建設現場の根伐箇所に流し込む再生コン打設工程を有する。【選択図】図２
2006161348.tif 000002
【特許請求の範囲】
【請求項１】
建物の建設現場に基礎を造るために地面を採掘する根伐工程と、前記根伐工程で採掘された底面を平坦にするコンクリート打設工程とを有する建物の基礎工事であって、
アジテータ車のドラムなどに付着した生コンからスラッジ水を集積する残コン集積工程と、前記残コン集積工程で集積されたスラッジ水に含有するセメントなどの固形物を粉砕しつつセメントを加えて再生コンを製造するコンクリート再生工程とを有し、かつ
前記コンクリート再生工程で生成された再生コンを、建設現場の根伐箇所に流し込む再生コン打設工程を有し、
砕石を用いることなく必要な強度を維持しつつ、建設現場の底面を平坦にするようにしたことを特徴とする生コンの再利用方法。
【請求項２】
前記再生コンの水和状態維持期間が経過した時の強度が、所定の強度を有するように、スラッジ水にセメントを加えるようにしたことを特徴とする請求項１に記載の生コンの再利用方法。
【発明の詳細な説明】
【技術分野】
【０００１】
本発明は、建設現場で作業を終えて戻ってくるアジテータ車に付着した生コンクリート（以下、生コンという。）を再利用するための生コンの再利用方法に関する。
【背景技術】
【０００２】
一般に、建設現場から戻ってきて未使用の生コンクリート（戻りコン）や、一部未使用の生コンクリート（残コン）は、建設現場から戻ってくると、そのまま放置されて、硬化してしまうため、アジテータ車から洗浄によってスラッジ水として洗い出されて廃棄される。
【０００３】
これらのコンクリートは、水で洗浄して、振動ふるい、分級機、分離機などによって粗骨材や細骨材に分離されると、セメントを含有するスラッジ水が得られる。この粗骨材や細骨材は、再使用可能であるが、セメントを含むスラッジ水は、セメントの凝結能力が喪失してしまうため、固形化されたスラッジに圧縮されて、産業廃棄物として廃棄処分になされていた。
【０００４】
そのため、特許文献１に、セメントと種々の骨材を含むスラッジ水から、スパイラル分級機によって粗骨材や細骨材を分離して容器に貯えた後、容器からサイクロンなどによってスラッジ水から砂などを分離するようにした再使用ユニットが開示されている。
【特許文献１】特開２００４−２４９４９号公報
【発明の開示】
【発明が解決しようとする課題】
【０００５】
ところが、この再使用ユニットは、アジテータ車のドラムなどを洗浄する際に、スラッジ水に遅延剤を含有させて骨材や微砂を除去した後に、貯留槽でゆっくり攪拌しながら保存される。そして、次回に生コンを使用する際に、スラッジ水を生コンの練混ぜ水として再使用するものであった。
【０００６】
すなわち、この再使用ユニットでは、スラッジ水に遅延剤を添加することで、スラッジ水に含有するセメントの硬化を遅らせるだけであって、スラッジ水に加工処理を施して積極的に他の用途に利用するような再利用策ではなかった。例えば、生コンクリートの需要がなければ、その間ずっと、スラッジ水を貯留槽で攪拌し続けなければならず、また、貯留槽などの装置や機材のためのスペースも必要になり、不要な費用や労力を要し、実用的な再利用策ではなかった。
【０００７】
そこで、本発明の目的は、生コンのうち、いわゆる戻りコンや残コンを利用して、建設現場で根伐りされた底面の成形にコンクリートを再利用することにより、従来のように砕石を用いることなく、作業時の流動性と必要な強度を保ちつつ、現場の底面を平坦にし、工事の手間を削減し、よって、工事費を低減し、工期を短縮することにある。
【課題を解決するための手段】
【０００８】
本発明の上記目的は、建物の建設現場に基礎を造るために地面を採掘する根伐工程と、前記根伐工程で採掘された底面を平坦にするコンクリート打設工程とを有する建物の基礎工事であって、アジテータ車のドラムなどに付着した生コンからスラッジ水を集積する残コン集積工程と、前記残コン集積工程で集積されたスラッジ水に含有するセメントなどの固形物を粉砕しつつセメントを加えて再生コンを製造するコンクリート再生工程とを有し、かつ前記コンクリート再生工程で生成された再生コンを、建設現場の根伐箇所に流し込む再生コン打設工程を有し、砕石を用いることなく必要な強度を維持しつつ、建設現場の底面を平坦にするようにしたことにより、達成される。
【０００９】
また、上記目的は、前記再生コンの水和状態維持期間が経過した時の強度が、所定の強度を有するように、スラッジ水にセメントを加えるようにしたことにより、達成される。
【発明の効果】
【００１０】
以上のように、本発明に係るコンクリートの再利用方法によると、生コンのうち、いわゆる戻りコンや残コンを廃棄処分にすることなく集積した後に、これらにセメントを添加して再生コンを生成し、建設現場の基礎底面に捨てコンとしてそのまま敷きつめることによって、余った生コンの再利用を図ることができる。そのため、従来のように、現場底面に砕石を敷く必要がなくなり、砕石を現場まで運搬する必要もなくなって、工事の手間を節約し、よって、工事費を節約して、工期を短縮することができる。
【発明を実施するための最良の形態】
【００１１】
以下、図面を参照しながら、本発明の実施形態を説明する。
【００１２】
本発明の実施形態で使用するセメントは、通常のセメントと同様な性質を備え、水とともに、細骨剤、粗骨剤、混和剤を配合したものである。
【００１３】
図１は、スラッジ水の再生工程を概略的に説明する図であり、アジテータ車１のドラムなどに付着したコンクリートは、建設現場から戻って、洗浄されて回収タンク２に貯槽される。この戻りコンは、回収タンク２から分級機３に送られ、セメントを含有するスラッジ水から砂や砂利などが分離される。このスラッジ水は、脱水分離機４に送られて、脱水によって上澄水を分離して濃縮なスラッジ水としてコンクリートの再生機５に送られる。
【００１４】
また、再生機５では、脱水分離機４で濃縮化されたスラッジ水に、さらにセメントなどを添加し、所定の混合作業によって再生コンを生成するようになっている。この再生コンは、セメントと、水と、細骨材と、粗骨材と、混和剤とが、所定の割合で配合されてコンクリートが再生される。
【００１５】
また、図２は、根伐工事によって建設現場を採掘し、その底面１１に捨てコンを流し込んだ状態を示す。同図に示すように、根伐工事によって、建設現場が採掘されて周囲に擁壁１２が設けられる。そして、擁壁１２に囲まれた箇所に、アジテータ車１から再生コン１３が流し込まれて、底面１１が平坦に形成される。その際、底面１１には、砕石が敷かれない。すなわち、再生コン１３は、スラッジ水に、所定量のセメントを添加することで、再生コンだけを打設するだけで、水和状態維持期間が経過すると、建設現場で捨てコンとして利用するのに必要な強度が得られるようになっている。
【００１６】
よって、再生コンを捨てコンとして現場底面に流し込むだけで、従来のように、根伐りした現場底面に所定厚さの砕石を均一に敷く必要性がなくなった。つまり、従来では、図３に示すように、底面１１に、まず所定の厚さで砕石１４が均一に敷かれ、その上に捨てコン１５を流し込むようになっていた。なお、１６は、基礎杭であり、１７は、鉄筋コンクリートで形成された構造物である。
【００１７】
よって、砕石を建設現場まで搬送して、現場底面の根伐箇所に均一に敷く手間を省くことができ、一般に廃棄処理に回されていたスラッジ固形分を再利用することにより、工事費を低減させて工期を短縮することができる。
【００１８】
ちなみに、スラッジ水とは、水和が進行していない状態でセメントを含有するが、セメントは、水と接触した状態で時間が経過すると、次第に水和が進行して硬化してしまうという特性を有する。
【００１９】
そこで、本発明の再生コンでは、所定の強度を備えるとともに、所定の時間内（水和状態維持時間）では、スラッジ水の水和状態を保って良好な作業性を保持するとともに、水和状態維持時間を超えても、捨てコンとしての良好な強度を備えるようにした。
【００２０】
これにより、生コンの打設作業時に、再生機５によって生成された再生コンは、アジテータ車１によって建設現場まで搬送され、根伐工事によって採掘された現場底面に流し込まれる。その際、再生コンは、水和状態にあり、作業性が良好である。また、現場に装填された再生コンは、時間の経過とともに硬化し、捨てコンとしての所定の強度を維持する。これにより、根伐箇所の底面を平坦にすることができ、墨だしなどの建物の位置決めを可能にする。
【００２１】
従って、本発明では、生コンのうち、いわゆる戻りコンや残コンとして、通常、廃棄処分に回されるコンクリートを、再生コンとして再利用し、建設現場の基礎底面に流し込まれて使用することができる。しかも、この再生コンは、コンクリートの打設工事が行われる水和状態維持期間、水和状態にあって流動性を有するため、作業性が良好である。また、再生コンは、打設工事を終えると、水和が進行して硬化するため、所定の強度が得られるため、従来のように、捨てコンの下に、所定の厚さで砕石を均一に敷く必要性がない。よって、工事費を節約することができ、工期も短縮することができる。
【００２２】
なお、本発明者は、図４に示す配合量（セメント、水、細骨材、粗骨材、混和剤）を有する再生コンを用いて、強度と水和状態維持期間の実験を行った。
【００２３】
その結果、資料Ａ１では、水和状態維持期間が経過した時点で７ないし１８Ｎの強度、資料Ａ２では、水和状態維持期間が経過した時点で１８Ｎの強度、資料Ａ３では、水和状態維持期間が経過した時点で１８ないし２１Ｎの強度、および、資料Ａ４では、水和状態維持期間が経過した時点で１８ないし２４Ｎの強度が得られた、
よって、本発明の再生コンは、スラッジ水に含有するセメントに、新たなセメントを加えて所定の水和状態維持期間および所定の強度が得られるように生成する。そのため、スラッジ水の再利用を図りつつ、基礎底面に装填される捨てコンとして根伐りされた底面に、所定の流動性を確保しながら、水和状態維持期間の経過後には所定の強度を備え、砕石を用いず、良好で平坦な面を基礎底面に造ることができる。
【図面の簡単な説明】
【００２４】
【図１】本発明に係る生コンの再生利用方法について、スラッジ水から再生コンを製造する過程を概略的に説明する図である。
【図２】前記生コンの再生利用方法を用いて、根伐りされた現場底面に捨てコンを打設した状態を説明する図である。
【図３】従来の方法を用いて、根伐りされた現場底面に敷かれた砕石の上に捨てコンを打設した状態を説明する図である。
【図４】再生利用方法によって生成された再生コンの配合量を示す図である。
【符号の説明】
【００２５】
４          脱水分離機
５          再生機
１３          再生コン
１４          砕石
１５          捨てコン
【図１】
2006161348.tif 000003
【図２】
2006161348.tif 000004
【図３】
2006161348.tif 000005
【図４】
2006161348.tif 000006